(57)【要約】【課題】利用者のかごからのスムーズな乗り降りを促すことのできるエレベータ装置を得る。【解決手段】エレベータ装置は、かごへ乗車する利用者と利用者の降車階とを関連付けた利用者情報を取得する利用者情報取得部と、かご内の利用者を撮影するかご内撮影装置と、かご内撮影装置によって撮影されたかご内の利用者を映像表示する映像表示装置と、利用者情報取得部によって取得された利用者情報から、かご内撮影装置によって撮影されたかご内の利用者に対応した降車階を抽出し、かご内の利用者を、抽出した降車階と関連付けて映像表示するように映像表示装置を制御する映像制御部とを備えて構成されている。【選択図】図２
2017226517.tif 000002
【特許請求の範囲】
【請求項１】
かごへ乗車する利用者と前記利用者の降車階とを関連付けた利用者情報を取得する利用者情報取得部と、
前記かご内に設けられ、前記かご内の前記利用者を撮影するかご内撮影装置と、
前記かご内撮影装置によって撮影された前記かご内の前記利用者を映像表示する映像表示装置と、
前記利用者情報取得部によって取得された前記利用者情報から、前記かご内撮影装置によって撮影された前記かご内の前記利用者に対応した前記降車階を抽出し、前記かご内の前記利用者を、抽出した前記降車階と関連付けて映像表示するように前記映像表示装置を制御する映像制御部と、
を備えたエレベータ装置。
【請求項２】
前記利用者情報取得部は、
乗場に設けられ、前記利用者のＩＤ情報を読み取って前記利用者を認証する認証装置と、
前記乗場に設けられ、前記認証装置に前記ＩＤ情報を読み取らせる認証作業を行っている前記利用者を撮影する乗場撮影装置と、
前記乗場撮影装置によって撮影された前記利用者と、前記利用者に対応した前記ＩＤ情報に含まれる前記降車階とを関連付けた前記利用者情報を生成して取得する利用者情報制御部と、
を有する請求項１に記載のエレベータ装置。
【請求項３】
前記利用者情報取得部は、
前記かご内に設けられ、前記利用者が操作することで前記降車階を行先階情報として登録するかご内操作盤と、
前記かご内に設けられ、前記かご内操作盤を操作している前記利用者を撮影するかご内操作盤撮影装置と、
前記かご内操作盤撮影装置によって撮影された前記利用者と、前記利用者に対応した前記行先階情報に含まれる前記降車階とを関連付けた前記利用者情報を生成して取得する利用者情報制御部と、
を有する請求項１に記載のエレベータ装置。
【発明の詳細な説明】
【技術分野】
【０００１】
本発明は、かご内のエレベータの利用者をその利用者の降車階と関連付けて映像表示するエレベータ装置に関するものである。
【背景技術】
【０００２】
従来において、カメラによってかご内の利用者を撮影し、その撮影結果から、かご内の利用者を簡易図形によって表現し、簡易図形によって表現された利用者を乗場に設けられたモニタを介して映像表示するエレベータ装置が提案されている（例えば、特許文献１参照）。
【先行技術文献】
【特許文献】
【０００３】
【特許文献１】特開２００２−００３１０２号公報
【発明の概要】
【発明が解決しようとする課題】
【０００４】
ここで、かご内の利用者または乗場にいる利用者は、自分以外のかご内の他人の降車階の情報を認識していれば、かごが降車階に着床した際、その降車階で降車する他人に配慮し、その結果、利用者のかごからのスムーズな乗り降りを促すことができる。
【０００５】
上記のとおり、特許文献１に記載の従来技術では、かご内の利用者が簡易図形によって映像表示される。しかしながら、このような映像表示では、利用者のかご内での位置、かご内に占める利用者の占有率等の情報が得られるのに留まり、利用者の降車階の情報を得ることができない。したがって、特許文献１に記載の従来技術では、利用者のかごからのスムーズな乗り降りを促すことが困難であるという問題がある。
【０００６】
本発明は、上記のような課題を解決するためになされたものであり、利用者のかごからのスムーズな乗り降りを促すことのできるエレベータ装置を得ることを目的とする。
【課題を解決するための手段】
【０００７】
本発明におけるエレベータ装置は、かごへ乗車する利用者と利用者の降車階とを関連付けた利用者情報を取得する利用者情報取得部と、かご内に設けられ、かご内の利用者を撮影するかご内撮影装置と、かご内撮影装置によって撮影されたかご内の利用者を映像表示する映像表示装置と、利用者情報取得部によって取得された利用者情報から、かご内撮影装置によって撮影されたかご内の利用者に対応した降車階を抽出し、かご内の利用者を、抽出した降車階と関連付けて映像表示するように映像表示装置を制御する映像制御部と、を備えたものである。
【発明の効果】
【０００８】
本発明によれば、利用者のかごからのスムーズな乗り降りを促すことのできるエレベータ装置を得ることができる。
【図面の簡単な説明】
【０００９】
【図１】本発明の実施の形態１におけるエレベータ装置の構成を示すブロック図である。
【図２】本発明の実施の形態１における映像表示装置によって表示される映像の表示イメージの一例を示す説明図である。
【図３】本発明の実施の形態２におけるエレベータ装置の構成を示すブロック図である。
【発明を実施するための形態】
【００１０】
以下、本発明によるエレベータ装置を、好適な実施の形態にしたがって図面を用いて説明する。なお、図面の説明においては、同一部分または相当部分には同一符号を付し、重複する説明を省略する。
【００１１】
実施の形態１．
図１は、本発明の実施の形態１におけるエレベータ装置の構成を示すブロック図である。本実施の形態１におけるエレベータ装置では、エレベータの利用者は、自分が所有するＩＤカードを用いて乗場１で自分の行先階として自分が降りる降車階を登録することができる。
【００１２】
ＩＤカードは、かご２へ乗車する利用者と、その利用者の降車階とを関連付けたＩＤ情報を保持している。なお、本実施の形態１では、ＩＤカードを用いてかご２への乗車前に降車階を登録するように構成する場合を例示しているが、ＩＤカードの代わりにＩＤタグを用いて乗車前に降車階を登録するように構成してもよい。
【００１３】
図１において、本実施の形態１におけるエレベータ装置は、エレベータの乗場１に設けられた認証装置１１および乗場撮影装置１２と、エレベータのかご２内に設けられたかご内撮影装置２１および映像表示装置２２と、エレベータ全体を制御するエレベータ制御装置３とを備える。
【００１４】
認証装置１１は、利用者がかご２へ乗車する際に、利用者が所有するＩＤカードを読み取って利用者を認証して、ＩＤカードが保持するＩＤ情報を取得する。また、認証装置１１は、取得した利用者のＩＤ情報をエレベータ制御装置３に送信する。
【００１５】
エレベータ制御装置３は、認証装置１１からＩＤ情報を受信すると、そのＩＤ情報に含まれる降車階へ走行するかご２を配車する。かご２が乗場１に着床すると、利用者がかご２に乗車した後、かご２が降車階へ走行する。
【００１６】
乗場撮影装置１２は、認証装置１１にＩＤカードを読み取らせる認証作業を行っている利用者を撮影し、その撮影結果をエレベータ制御装置３に送信する。なお、乗場撮影装置１２は、例えば、ビデオカメラを用いて構成することができる。
【００１７】
かご内撮影装置２１は、かご２内の利用者を撮影し、その撮影結果をエレベータ制御装置３に送信する。なお、かご内撮影装置２１は、例えば、ビデオカメラを用いて構成することができる。
【００１８】
映像表示装置２２は、エレベータ制御装置３の制御に従って、かご内撮影装置２１によって撮影されたかご２内の利用者を映像表示する。なお、映像表示装置２２は、例えば、ディスプレイを用いて構成することができる。
【００１９】
エレベータ制御装置３は、例えば、メモリに記憶されたプログラムを実行するＣＰＵと、システムＬＳＩ等の処理回路によって実現される。エレベータ制御装置３は、利用者情報制御部３１および映像制御部３２を有する。
【００２０】
利用者情報制御部３１は、認証装置１１からＩＤ情報を受信し、乗場撮影装置１２から認証作業を行っている利用者の映像を受信する。利用者情報制御部３１は、公知の画像認識処理を行うことで、乗場撮影装置１２から受信する利用者の映像から、利用者個人を特定可能な顔などの身体的特徴に関する情報を収集する。
【００２１】
利用者情報制御部３１は、認証装置１１から受信したＩＤ情報と、乗場撮影装置１２から受信した利用者の映像とから、乗場撮影装置１２によって撮影された利用者と、その利用者に対応したＩＤ情報に含まれる降車階とを関連付けた利用者情報を生成して取得する。また、利用者情報制御部３１は、取得した利用者情報を映像制御部３２に送信する。
【００２２】
このように、認証装置１１、乗場撮影装置１２および利用者情報制御部３１によって構成される利用者情報取得部４は、かご２へ乗車する利用者と、その利用者の降車階とを関連付けた利用者情報を取得する。
【００２３】
映像制御部３２は、利用者情報制御部３１から利用者情報を受信し、かご内撮影装置２１からかご２内の利用者の映像を受信する。映像制御部３２は、公知の画像認識処理を行うことで、かご内撮影装置２１から受信する利用者の映像から、利用者個人を特定可能な顔などの身体的特徴に関する情報を収集する。
【００２４】
映像制御部３２は、利用者情報制御部３１から受信した利用者情報から、かご内撮影装置２１によって撮影されたかご２内の利用者に対応した降車階を抽出し、かご２内の利用者を、その抽出した降車階と関連付けて映像表示するように、映像表示装置２２を制御する。つまり、映像制御部３２は、利用者情報に含まれる利用者と同一人物の利用者をかご内撮影装置２１によって撮影された映像から見つけ出し、その映像内の利用者と、利用者情報に含まれる降車階とを関連付けている。
【００２５】
映像表示装置２２は、映像制御部３２の制御に従って、かご内撮影装置２１によって撮影されたかご２内の利用者を、その利用者に対応した降車階と関連付けて映像表示する。
【００２６】
このように、映像制御部３２は、利用者情報取得部４によって取得された利用者情報から、かご内撮影装置２１によって撮影されたかご２内の利用者に対応した降車階を抽出し、かご２内の利用者を、抽出した降車階と関連付けて映像表示するように映像表示装置２２を制御する。
【００２７】
次に、映像表示装置２２によって表示される映像の一例について、図２を参照しながら説明する。図２は、本発明の実施の形態１における映像表示装置２２によって表示される映像の表示イメージの一例を示す説明図である。
【００２８】
図２に示すように、かご内撮影装置２１によって撮影されたかご２内の利用者は、利用者個人に対応した降車階と関連付けられて映像表示されている。例えば、ＩＤカードを所有する利用者Ａの降車階が「３Ｆ」のとき、利用者Ａ以外の他の利用者が映像表示装置２２によって表示される映像から利用者Ａの降車階が「３Ｆ」であることが分かるように、利用者Ａは、「３Ｆ」という文字が付されて映像表示される。
【００２９】
また、本実施の形態１におけるエレベータ装置では、ＩＤカードを所有していない利用者、ＩＤカードを所有していてもそのＩＤカードが保持するＩＤ情報に降車階が含まれていない利用者等を、その利用者の降車階と関連付けて映像表示することができない。例えば、ＩＤカードを所有しない利用者Ｂの降車階を利用者Ｂがかご２へ乗車する前に認識することができないので、利用者Ｂを、その利用者Ｂの降車階と関連付けて映像表示することができない。
【００３０】
そこで、利用者Ｂの降車階と関連付けて利用者Ｂを映像表示することができない場合、利用者Ｂは、例えば、「？」という文字が付されて映像表示される。
【００３１】
このように、かご２内の利用者は、同じかご２内に乗り合わせている他の利用者がどの階で降りるのかが分かるので、かご２の降車階への着床前にかご２のドア付近の空間を降りる人に譲ったり、他に降りる人がいなければ戸閉ボタンを押したりするので、利用者のかごからのスムーズな乗り降りを促すことができる。また、降りる階を間違えている利用者に対して、その間違いを指摘することも可能となる。
【００３２】
なお、かご２内の利用者は、降車階以外に乗車階と関連付けて映像表示されるようにエレベータ装置を構成してもよい。図２に示すように、例えば、利用者Ａの乗車階が「１Ｆ」のとき、すなわち、利用者Ａが「１Ｆ」からかご２へ乗車したとき、利用者Ａは、降車階を示す「３Ｆ」という文字に加えて、さらに、乗車階を示す「１Ｆ」という文字が付されて映像表示される。
【００３３】
なお、乗車階が同じ利用者は、降車階が同じである可能性があるので、参考情報として降車階が不明であるかご２内の利用者は、乗車階と関連付けて映像表示されるようにエレベータ装置を構成してもよい。図２に示すように、例えば、利用者Ｂの乗車階が「１Ｆ」のとき、利用者Ｂは、降車階が不明であることを示す「？」という文字に加えて、さらに、乗車階を示す「１Ｆ」という文字が付されて映像表示される。
【００３４】
なお、乗車階が同じ利用者は、降車階が同じである可能性があるので、参考情報として乗車階が同じ利用者同士は、同じ色によって色付けして映像表示されるように構成してもよい。
【００３５】
なお、本実施の形態１では、映像表示装置２２をかご２内に設ける場合を例示したが、映像表示装置２２を乗場１に設けてもよい。このように構成すれば、乗場１にいる利用者は、乗場１に設けられた映像表示装置２２を確認することで、かご２から利用者が降りるのか否かが分かるとともに、利用者が降りる場合には、何人の利用者が降りるのかが分かる。したがって、ドア付近の空間を降りる人に譲ったり、他に降りる人がいなければすぐにかご２に乗り込んだりすることができ、その結果、利用者のかごからのスムーズな乗り降りを促すことができる。
【００３６】
なお、本実施の形態１では、映像表示装置２２によって、時分割で映像表示するように構成してもよい。また、本実施の形態１では、かご２へ乗車する利用者の降車階を認識するように構成されているので、その認識結果を用いれば、セキュリティシステムへの応用も可能である。例えば、利用者の乗車階と降車階とに関する情報をセキュリティシステムに通知するように構成すれば、その情報をセキュリティ強化に活用することができる。
【００３７】
以上、本実施の形態１によれば、かごへ乗車する利用者と利用者の降車階とを関連付けた利用者情報から、かご内撮影装置によって撮影されたかご内の利用者に対応した降車階を抽出し、かご内の利用者を、抽出した降車階と関連付けて映像表示するように構成されている。
【００３８】
また、上記の利用者情報を取得する構成の具体例として、認証装置にＩＤ情報を読み取らせる認証作業を行っている利用者を撮影し、その撮影された利用者と、その利用者に対応したＩＤ情報に含まれる降車階とを関連付けた利用者情報を生成して取得するように構成されている。
【００３９】
これにより、かご内で映像表示するように構成する場合には、かご内の利用者は、同じかご内に乗り合わせている他の利用者がどの階で降りるのかが分かるので、かごの降車階への着床前にかごのドア付近の空間を降りる人に譲ったり、他に降りる人がいなければ戸閉ボタンを押したりすることができ、その結果、利用者のかごからのスムーズな乗り降りを促すことができる。
【００４０】
また、乗場で映像表示するように構成する場合には、乗場にいる利用者は、かごから利用者が降りるのか否か、利用者が降りる場合には何人の利用者が降りるのかが分かるので、ドア付近の空間を降りる人に譲ったり、他に降りる人がいなければすぐにかごに乗り込んだりすることができ、その結果、利用者のかごからのスムーズな乗り降りを促すことができる。
【００４１】
実施の形態２．
本発明の実施の形態２では、先の実施の形態１とは異なる方式で利用者情報を取得する利用者情報取得部４を備えたエレベータ装置について説明する。なお、本実施の形態２では、先の実施の形態１と同様である点の説明を省略し、先の実施の形態１と異なる点を中心に説明する。
【００４２】
図３は、本発明の実施の形態２におけるエレベータ装置の構成を示すブロック図である。本実施の形態２におけるエレベータ装置では、エレベータの利用者は、かご２内のかご内操作盤２３を操作することで、かご２内で自分の行先階として自分が降りる降車階を登録することができる。
【００４３】
図３において、本実施の形態２におけるエレベータ装置は、かご２内に設けられたかご内撮影装置２１、映像表示装置２２、かご内操作盤２３およびかご内操作盤撮影装置２４と、エレベータ全体を制御するエレベータ制御装置３とを備える。
【００４４】
かご内操作盤２３は、かご呼び登録装置としての機能を有し、具体的には、かご２内の利用者が自分の降車階を入力するための行先階ボタン（図示せず）を備えて構成されている。かご２内の利用者が自分の降車階に対応した行先階ボタンを押下することで、かご内操作盤２３は、押下された行先階ボタンに対応した降車階を行先階情報として登録してエレベータ制御装置３に送信する。エレベータ制御装置３は、かご内操作盤２３から受信した行先階情報に含まれる降車階にかご２を走行させる。
【００４５】
かご内操作盤撮影装置２４は、かご内操作盤２３の行先階ボタンを操作している利用者を撮影し、その撮影結果をエレベータ制御装置３に送信する。なお、かご内操作盤撮影装置２４は、例えば、ビデオカメラを用いて構成することができる。
【００４６】
利用者情報制御部３１は、かご内操作盤２３から行先階情報を受信し、かご内操作盤撮影装置２４からかご内操作盤２３を操作している利用者の映像を受信する。利用者情報制御部３１は、公知の画像認識処理を行うことで、かご内操作盤撮影装置２４から受信する利用者の映像から、利用者個人を特定可能な顔などの身体的特徴に関する情報を収集する。
【００４７】
利用者情報制御部３１は、かご内操作盤２３から受信した行先階情報と、かご内操作盤撮影装置２４から受信した利用者の映像とから、かご内操作盤撮影装置２４によって撮影された利用者と、その利用者に対応した行先階情報に含まれる降車階とを関連付けた利用者情報を生成して取得する。また、利用者情報制御部３１は、取得した利用者情報を映像制御部３２に送信する。
【００４８】
このように、かご内操作盤２３、かご内操作盤撮影装置２４および利用者情報制御部３１によって構成される利用者情報取得部４は、かご２へ乗車する利用者と、その利用者の降車階とを関連付けた利用者情報を取得する。
【００４９】
映像制御部３２は、利用者情報制御部３１から利用者情報を受信し、かご内撮影装置２１からかご２内の利用者の映像を受信する。映像制御部３２は、公知の画像認識処理を行うことで、かご内撮影装置２１から受信する利用者の映像から、利用者個人を特定可能な顔などの身体的特徴に関する情報を収集する。
【００５０】
映像制御部３２は、利用者情報制御部３１から受信した利用者情報から、かご内撮影装置２１によって撮影されたかご２内の利用者に対応した降車階を抽出し、かご２内の利用者を、その抽出した降車階と関連付けて映像表示するように、映像表示装置２２を制御する。つまり、映像制御部３２は、利用者情報に含まれる利用者と同一人物の利用者をかご内撮影装置２１によって撮影された映像から見つけ出し、その映像内の利用者と、利用者情報に含まれる降車階とを関連付けている。
【００５１】
映像表示装置２２は、映像制御部３２の制御に従って、かご内撮影装置２１によって撮影されたかご２内の利用者を、その利用者に対応した降車階と関連付けて映像表示する。先の図２に示すように、かご内撮影装置２１によって撮影されたかご２内の利用者は、利用者個人に対応した降車階と関連付けられて映像表示されている。
【００５２】
本実施の形態２におけるエレベータ装置では、かご２へ乗車してかご内操作盤２３の行先階ボタンを押す必要が無かった利用者、行先階ボタンを押したもののその行先階ボタンに対応した降車階との関連付けに失敗した利用者等を、その利用者の降車階と関連付けて映像表示することができない。そこで、先の実施の形態１と同様に、このような利用者は、例えば、「？」という文字が付されて映像表示される。
【００５３】
なお、先の実施の形態１と同様に、かご２内の利用者は、降車階以外に乗車階と関連付けて映像表示されるようにエレベータ装置を構成してもよい。また、降車階が不明であるかご２内の利用者は、乗車階と関連付けて映像表示されるようにエレベータ装置を構成してもよい。さらに、乗車階が同じ利用者同士は、同じ色によって色付けして映像表示されるように構成してもよい。
【００５４】
以上、本実施の形態２によれば、先の実施の形態１の構成に対して、利用者が操作することで降車階を行先階情報として登録するかご内操作盤を操作している利用者を撮影し、その撮影された利用者と、その利用者に対応した行先階情報に含まれる降車階とを関連付けた利用者情報を生成して取得するように構成されている。これにより、先の実施の形態１と同様の効果が得られる。
【００５５】
なお、本実施の形態１、２について個別に説明してきたが、本実施の形態１、２のそれぞれで開示した構成例は、任意に組み合わせることが可能である。例えば、本実施の形態１、２のそれぞれで開示した構成例を組み合わせて、映像表示装置２２によって表示される映像において、かご２内の利用者と、その利用者の降車階とを関連付ける割合をより高めてもよい。
【符号の説明】
【００５６】
１  乗場、２  かご、３  エレベータ制御装置、４  利用者情報取得部、１１  認証装置、１２  乗場撮影装置、２１  かご内撮影装置、２２  映像表示装置、２３  かご内操作盤、２４  かご内操作盤撮影装置、３１  利用者情報制御部、３２  映像制御部。
【図１】
2017226517.tif 000003
【図２】
2017226517.tif 000004
【図３】
2017226517.tif 000005